(57)【要約】【課題】裏写り強調処理を施した画像データに基づきプレビュー画像を表示し、裏写りの度合の確認や、裏写り除去処理後の画像データに裏写り部分があるかの確認を正確、容易に行えるようにする。【解決手段】画像処理装置は、原稿を読み取って画像データを生成する画像読取部と、画像データを低濃度領域と高濃度領域に分け、低濃度領域に割り当てる階調を増やす一方、高濃度領域に割り当てる階調を減らす濃度変換処理である裏写り強調処理を行ってプレビュー用画像データを生成する画像処理部と、画像処理部が生成したプレビュー用画像データに基づきプレビュー画像を表示する表示部とを備える。【選択図】図８
2011009945.tif 000002
【特許請求の範囲】
【請求項１】
原稿を読み取って画像データを生成する画像読取部と、
前記画像読取部が読み取った前記画像データを低濃度領域と高濃度領域に分け、前記低濃度領域に割り当てる階調を増やす一方、前記高濃度領域に割り当てる階調を減らす濃度変換処理である裏写り強調処理を行って前記プレビュー用画像データを生成する画像処理部と、
前記画像処理部が生成したプレビュー用画像データに基づきプレビュー画像を表示する表示部と、を備えることを特徴とする画像処理装置。
【請求項２】
前記画像処理部は、前記画像データに対し一部の画素の濃度変換を行って裏写り除去処理を行い、前記裏写り除去処理後の画像データに対し、前記裏写り強調処理を行って前記プレビュー用画像データを生成することを特徴とする請求項１記載の画像処理装置。
【請求項３】
使用者による設定入力を受け付ける入力部を備え、
前記入力部は、前記裏写り除去処理の強度の選択入力を受け付け、
前記画像処理部は、予め定められた閾値に基づき、前記画像データに対し、閾値よりも薄い濃度の画素を裏写りとして、更に薄い濃度に変換して前記裏写り除去処理を行うとともに、前記裏写り除去処理の強度が切り替えられるごとに、前記閾値を変えて、前記画像データに対し前記裏写り除去処理を行った後、前記裏写り強調処理を行って前記プレビュー用画像データを生成し、
前記表示部は、選択入力により前記裏写り除去処理の強度が切り替えられるごとに、新たに生成された前記プレビュー用画像データに基づき、前記プレビュー画像を切り替えて表示することを特徴とする請求項２記載の画像処理装置。
【請求項４】
前記入力部は、予め用意された複数種の前記裏写り強調処理のうちから、実行する前記裏写り強調処理を選択する選択入力を受け付け、
前記画像処理部は、前記低濃度領域と前記高濃度領域の分け方、及び／又は、前記低濃度領域と前記高濃度領域に対し割り当てる階調の増減量を変化させて、選択に応じた前記裏写り強調処理を行って、前記裏写り強調処理を行って前記プレビュー用画像データを生成し、
前記表示部は、選択入力により前記裏写り強調処理の種類が切り替えられるごとに、新たに生成された前記プレビュー用画像データに基づき、前記プレビュー画像を切り替えて表示することを特徴とする請求項３に記載の画像処理装置。
【請求項５】
前記入力部は、原稿の全面ではなく一部分を拡大させて前記プレビュー画像を表示させる指示する入力を受け付け、
前記画像処理部は、拡大表示を行うための前記プレビュー用画像データを生成し、
前記表示部は、前記プレビュー画像の拡大表示を行うことを特徴とする請求項３又は４に記載の画像処理装置。
【請求項６】
前記入力部は、原稿の全面ではなく一部分を拡大させて、拡大表示を行う部分を複数個指定する入力を受け付け、
前記画像処理部は、拡大表示を行うための前記プレビュー用画像データを生成し、
前記表示部は、画面を分割して、指定された個数で指定された部分の拡大表示を行うことを特徴とする請求項３乃至５のいずれか１項に記載の画像処理装置。
【請求項７】
前記請求項１乃至６のいずれか１項の画像処理装置を備えたことを特徴とする画像形成装置。
【発明の詳細な説明】
【技術分野】
【０００１】
本発明は、原稿を読み取る画像処理装置に関する。又、画像処理装置を備えた複写機、複合機、プリンタ、ファクシミリ等の画像形成装置に関する。
【背景技術】
【０００２】
一般に、画像処理装置は、画像補正、画質改善等の目的のため、画像データに対し画像処理を行う。又、画像処理装置は、例えば、複合機や複写機といった画像形成装置等の他の機器に搭載されることもある。例えば、複合機に搭載された画像処理装置は、複写やスキャン時、画像読取部で原稿を読み取って得られた画像データに対し、各種画像処理を施し、画像処理後の画像データに基づき複写や、画像ファイルの生成が行われる。
【０００３】
ここで、両面印刷された原稿の複写やスキャンを行った場合、読み取りを行った面（読取面）の裏面の内容をも読み取ってしまう裏写りが生ずる場合がある。裏写りが生じると読取面の内容に、裏面の文字や図形が現れ、文字が読みにくくなるなど、原稿の再現性や画質の点で問題となる。そこで、裏写りを解消しようとする画像処理装置が特許文献１に記載されている。
【０００４】
具体的に、特許文献１には、両面に印字された原稿面を読み取り、ディジタルデータに変換し、裏写りを抑制する画像処理を行う制御手段を備える原稿画像処理装置において、裏写り抑制処理を行う領域と行わない領域を指定する裏写り抑制処理オン／オフ制御部と、裏写り抑制処理を行う領域に対し、画像データと予め設定した濃度閾値とを比較し、裏写り画像であると判定する裏写り画像判定部と、裏写り抑制処理部とを備えた原稿画像処理装置が記載されている。裏写り抑制処理を行う領域と行わない領域を選択可能とし、本来読み取りたい、表の面の画像品質を裏写りにより損なうことのない原稿画像処理装置を提供しようとする（特許文献１：請求項１、段落［０００５］等参照）。
【特許文献１】特開２００６−２４０２６９
【発明の概要】
【発明が解決しようとする課題】
【０００５】
更に、表示部を備え、読み取った画像データや、裏写り抑制処理を施した画像データに基づき、印刷結果や画像ファイルの出力結果のプレビューを表示する画像処理装置も存在する。特許文献１の発明では、このプレビューの表示で、裏写りの度合を判断しながらの領域指定や、裏写り抑制処理での最適な処理パラメータを探ろうとする（特許文献１：請求項２、請求項３、段落［００１２］、［００１４］等参照）。
【０００６】
しかし、プレビューで裏写りの度合や、裏写り抑制処理の最適な処理パラメータを探るにしても、通常、画像形成装置の操作パネルに備え付けられた表示部（例えば液晶パネル）の画面サイズによる制約から、プレビューは、原稿の実寸に対し縮小された大きさとなる。従って、プレビューでは、裏写りの度合や裏写り除去処理の効果を正しく判断しにくいという問題がある。又、プレビューでは裏写りがなくても、縮小表示のため、実際に出力された印刷物や画像ファイルを確認すると、裏写り部分が存在する場合もある。
【０００７】
ここで、特許文献１記載の発明をみると、プレビュー画面は操作部２９の画面に表示されるとあり、又、画像処理装置は、画像読取装置（スキャナ）に搭載されている例が示されているが（特許文献１：図１、図２、段落［００１２］等参照）、スキャナの操作部の画面は、通常、原稿を実寸で表示できるほど大きくない。従って、特許文献１記載の発明は、上記の問題を解決することはできない。
【０００８】
本発明は、上記問題点を鑑み、裏写り強調処理を施した画像データに基づきプレビュー画像を表示し、裏写りの度合の確認や、裏写り除去処理後の画像データに裏写り部分があるかの確認を正確、容易に行えるようにすることを課題とする。
【課題を解決するための手段】
【０００９】
上記目的を達成するために請求項１に係る画像処理装置は、原稿を読み取って画像データを生成する画像読取部と、前記画像読取部が読み取った前記画像データを低濃度領域と高濃度領域に分け、前記低濃度領域に割り当てる階調を増やす一方、前記高濃度領域に割り当てる階調を減らす濃度変換処理である裏写り強調処理を行って前記プレビュー用画像データを生成する画像処理部と、前記画像処理部が生成したプレビュー用画像データに基づきプレビュー画像を表示する表示部と、を備えることとした。
【００１０】
一般に、裏写りは、例えば、地肌部分に濃度が上乗せされるように、画像データ内で薄い（明るい）部分に現れる。そこで、この構成によれば、低濃度領域に割り当てる階調を増やす（コントラストを強くする）一方、高濃度領域に割り当てる階調を減らす（コントラストを弱くする）ので、画像データ内に薄い（明るい）部分として現れる裏写り部分が強調されたプレビュー画像を表示させることができる。従って、たとえ表示部の画面サイズが小さくても、使用者は、裏写りの有無や度合を正確かつ容易に確認できる。
【００１１】
又、請求項２に係る発明は、請求項１記載の発明において、前記画像処理部は、前記画像データに対し一部の画素の濃度変換を行って裏写り除去処理を行い、前記裏写り除去処理後の画像データに対し、前記裏写り強調処理を行って前記プレビュー用画像データを生成することとした。
【００１２】
この構成によれば、画像処理部が裏写り除去処理後の画像データに対し、裏写り強調処理を行ったプレビュー用画像データに基づくプレビュー画像が表示部に表示されるので、たとえ表示部の画面サイズが小さくても、使用者は、裏写り除去処理による裏写りの軽減の程度や、裏写り除去処理後での裏写りの有無や度合を正確かつ容易に確認できる。
【００１３】
又、請求項３に係る発明は、請求項２の発明において、使用者による設定入力を受け付ける入力部を備え、前記入力部は、前記裏写り除去処理の強度の選択入力を受け付け、前記画像処理部は、予め定められた閾値に基づき、前記画像データに対し、閾値よりも薄い濃度の画素を裏写りとして、更に薄い濃度に変換して前記裏写り除去処理を行うとともに、前記裏写り除去処理の強度が切り替えられるごとに、前記閾値を変えて、前記画像データに対し前記裏写り除去処理を行った後、前記裏写り強調処理を行って前記プレビュー用画像データを生成し、前記表示部は、選択入力により前記裏写り除去処理の強度が切り替えられるごとに、新たに生成された前記プレビュー用画像データに基づき、前記プレビュー画像を切り替えて表示することとした。
【００１４】
この構成によれば、裏写り除去処理の強度が切り替えられるごとに、新たに生成されたプレビュー用画像データに基づき、プレビュー画像が切り替えられるので、使用者は、プレビュー画像を見ながら、裏写り除去処理の最適な強度を探し当てることができる。
【００１５】
又、請求項４に係る発明は、請求項３記載の発明において、前記入力部は、予め用意された複数種の前記裏写り強調処理のうちから、実行する前記裏写り強調処理を選択する選択入力を受け付け、前記画像処理部は、前記低濃度領域と前記高濃度領域の分け方、及び／又は、前記低濃度領域と前記高濃度領域に対し割り当てる階調の増減量を変化させて、選択に応じた前記裏写り強調処理を行って、前記裏写り強調処理を行って前記プレビュー用画像データを生成し、前記表示部は、選択入力により前記裏写り強調処理の種類が切り替えられるごとに、新たに生成された前記プレビュー用画像データに基づき、前記プレビュー画像を切り替えて表示することとした。
【００１６】
読み取った原稿や裏写り強調処理によって、適切に裏写り部分が強調される裏写り強調処理の内容が異なる場合がある。しかし、この構成によれば、実行する裏写り強調処理を選択することができ、選択に応じた裏写り強調処理が行われるので、実行する裏写り強調処理を切り替えて、適切に裏写り部分が強調されたプレビュー画像を表示させることができる。
【００１７】
又、請求項５に係る発明は、請求項３又は４の発明において、前記入力部は、原稿の全面ではなく一部分を拡大させて前記プレビュー画像を表示させる指示する入力を受け付け、前記画像処理部は、拡大表示を行うための前記プレビュー用画像データを生成し、前記表示部は、前記プレビュー画像の拡大表示を行うこととした。この構成によれば、表示部は、プレビュー画像の拡大表示を行うことができるので、裏写りの度合を詳細に確認することができる。
【００１８】
又、請求項６に係る発明は、請求項３乃至５の発明において、前記入力部は、原稿の全面ではなく一部分を拡大させて、拡大表示を行う部分を複数個指定する入力を受け付け、
前記画像処理部は、拡大表示を行うための前記プレビュー用画像データを生成し、前記表示部は、画面を分割して、指定された個数で指定された部分の拡大表示を行うこととした。この構成によれば、表示部は、画面を分割して、指定された個数で指定された部分の拡大表示を行うので、裏写りを確認したい部分だけ指定することで、使用者は、気になる部分のみについて裏写りの度合を詳細に確認することができる。
【００１９】
又、請求項７に係る画像形成装置は、前記請求項１乃至６のいずれか１項の画像処理装置を備えることとした。この構成により、写りの度合を正確、容易に行える画像形成装置を提供することができる。
【発明の効果】
【００２０】
本発明の画像処理装置によれば、表示部のサイズが小さくても、裏写りの有無や、裏写りの度合や、裏写り除去処理後に残る裏写りを容易、正確にプレビュー画像で確認することができる。又、再度、原稿の読み取りを行うべきかの判断や、最適な裏写り除去処理の設定値の判断等、使用者にとって、裏写りに対する判断を容易に下すことができる。
【図面の簡単な説明】
【００２１】
【図１】実施形態に係る複合機の模型的正面断面図である。
【図２】実施形態に係る操作パネルの一例を示す平面図である。
【図３】実施形態に係る複合機の構成の一例を示すブロック図である。
【図４】実施形態に係る画像読取部や画像処理部及び画像データの扱いの一例を示すブロック図である。
【図５】実施形態に係る裏写り除去処理の一例を説明するためのグラフである。
【図６】実施形態に係る裏写り強調処理の一例を説明するためのグラフである。
【図７】実施形態に係る液晶表示部での裏写り除去処理の設定及びプレビュー画像の表示の一例を示す説明図である。
【図８】実施形態に係るプレビュー画像の切り替わりの一例を示す説明図である。
【図９】実施形態に係るプレビュー画像の全体を拡大表示する場合の一例を示す。
【図１０】実施形態に係るプレビュー画像の一部分を拡大表示する場合の一例を示す。
【図１１】実施形態に係るプレビュー画像表示制御の一例を示すフローチャートである。
【発明を実施するための形態】
【００２２】
以下、本発明の実施形態について図１〜１１を参照しつつ説明する。以下の説明では、本発明に係る画像処理装置１００が、複合機１（画像形成装置に相当）に含まれている場合を例に挙げ説明する（図３参照）。但し、本実施の形態に記載されている構成、配置等の各要素は、発明の範囲を限定するものではなく単なる説明例にすぎない。
【００２３】
（複合機１の概略構成）
まず、図１に基づき、本発明の実施形態に係る複合機１の概略を説明する。図１は、本発明の実施形態に係る複合機１の模型的正面断面図である。図１に破線で示すように、本実施形態の複合機１は、正面上方に複合機１で利用する機能設定のため、操作パネル２が設けられる（詳細は後述）。又、複合機１の最上部には原稿を抑えるための原稿カバー１ａが設けられ、複合機１本体内には、画像読取部３、給紙部４、搬送路５、画像形成部６、定着部７等が設けられる。
【００２４】
原稿カバー１ａは、複写時、原稿台としての画像読取部３の上面に設けられたコンタクトガラス３１に載置された原稿を抑える。そのため、原稿カバー１ａは、図１の紙面奥側に支点を有し、上下方向に開閉可能である。尚、原稿カバー１ａに変えて、原稿を自動的、連続的に搬送して、画像読取部３に連続的に原稿を読み取らせる原稿搬送装置が取り付けられても良い。
【００２５】
画像読取部３（スキャナ）は、原稿を読み取って画像データを生成する。画像読取部３の上面のコンタクトガラス３１に載置された原稿を、画像読取部３内に設けられた露光ランプ３２、ミラー３３、レンズ３４、イメージセンサ３５（例えば、ＣＣＤ）等の光学系部材を用いて読み取る。そして、例えば、本実施形態の複合機１は、読み取りにより得られた画像データに基づき印刷を行うことができ（コピー機能）、あるいは、画像データに基づき画像ファイル（例えばＰＤＦ等）を出力することができる（スキャナ機能）。
【００２６】
給紙部４は、各種（例えば、コピー用紙、普通紙、再生紙、厚紙、ＯＨＰシート等の各種用紙）、各サイズ（例えば、Ａ判用紙やＢ判用紙）の用紙を収容でき、印刷時、１枚ずつ搬送路５に送り込む。給紙部４は、用紙が積載されるカセット４１（図１では、上段のものを４１ａ、下段のものを４１ｂとして図示）と、カセット４１から搬送路５に用紙を送り出すため回転駆動する給紙ローラ４２（図１では、上段のものを４２ａ、下段のものを４２ｂとして図示）等を備える。印刷時、いずれかの給紙ローラ４２が回転駆動する。
【００２７】
搬送路５は、給紙部４から排出トレイ５１まで用紙を搬送する通路である。そして、搬送路５に、用紙の案内のためのガイド板５２や、用紙搬送時に回転駆動する搬送ローラ対５３や、搬送される用紙を画像形成部６の手前で待機させ、トナー像形成のタイミングを合わせ用紙を送り出すレジストローラ対５４や、排出トレイ５１に用紙を排出する排出ローラ対５５等が設けられる。
【００２８】
画像形成部６は、画像データに基づきトナー像を形成し、搬送される用紙にトナー像を転写する。そのため、画像形成部６は、図１に示す矢印方向に回転駆動可能に支持された感光体ドラム６１、及び、感光体ドラム６１の周囲に設けられた帯電装置６２、露光装置６３、現像装置６４、転写ローラ６５、清掃装置６６等を備える。
【００２９】
トナー像形成及び転写プロセスを説明すると、画像形成部６の略中心に設けられ、所定方向に回転駆動する感光体ドラム６１を、図１において、感光体ドラム６１の右斜上方の帯電装置６２が所定電位に帯電させる。露光装置６３は、図１において、感光体ドラム６１の右側方に設けられ、画像データに基づき、レーザ光Ｌを出力し、感光体ドラム６１表面を走査露光して画像データに応じた静電潜像を形成する。尚、画像データは、画像読取部３で得られたものや、ネットワーク等により接続されるユーザ端末２００（例えば、パーソナルコンピュータ）や相手方ＦＡＸ装置３００（図３参照）から送信された画像データ等が利用される。
【００３０】
そして、図１において、感光体ドラム６１の右斜下方の現像装置６４は、感光体ドラム６１に形成された静電潜像にトナーを供給して現像する。感光体ドラム６１の左方の転写ローラ６５は感光体ドラム６１に圧接し、ニップを形成する。そして、トナー像にあわせ、レジストローラ対５４がタイミングを図り、用紙をニップに進入させる。用紙とトナー像のニップ進入時、転写ローラ６５には所定の電圧が印加され、用紙に感光体ドラム６１上のトナー像が転写される。清掃装置６６は、転写後に感光体ドラム６１に残留するトナー等を除去する。
【００３１】
定着部７は、用紙に転写されたトナー像を定着させる。本実施形態における定着部７は、主として発熱体を内蔵する加熱ローラ７１と加圧ローラ７２で構成される。加熱ローラ７１と加圧ローラ７２は圧接しニップを形成する。そして、用紙が、このニップを通過することで、用紙表面のトナーが溶融・加熱され、トナー像が用紙に定着する。トナー定着後の用紙は、排出トレイ５１が受け止める。このようにして、コピー機能、プリンタ機能の利用時、画像形成（印刷）が行われる。
【００３２】
次に、図１及び２に基づき、本発明の実施形態に係る操作パネル２を説明する。図２は、本発明の実施形態に係る操作パネル２の一例を示す平面図である。
【００３３】
図１及び図２に示すように、複合機１の正面上方に設けられる操作パネル２は、画像処理部９が生成したプレビュー用画像データに基づきプレビュー画像を表示する液晶表示部２１（表示部に相当）を備える。又、液晶表示部２１は、各種メッセージを表示することもできる。又、操作パネル２はテンキー部２２やスタートキー２３や使用する機能を選択するための機能選択キー群２４等の入力、設定用の各種キーも備える。
【００３４】
次に、図３に基づき、本発明の実施形態に係る複合機１のハードウェア構成を説明する。図３は、本発明の実施形態に係る複合機１の構成の一例を示すブロック図である。
【００３５】
まず、複合機１内には、制御部８が設けられ、制御部８は、複合機１の動作を制御し、例えば、ＣＰＵ８１等を有する。ＣＰＵ８１は、中央演算処理装置であって、記憶部８２に格納され、展開される制御プログラムに基づき複合機１の各部を制御する。
【００３６】
そして、制御部８には、画像処理部９、記憶部８２が接続される。画像処理部９は、画像読取部３で読み取られた画像データや、印刷を行う画像データや、ユーザ端末２００や相手方のＦＡＸ装置３００との間で送受信される画像データに対し、各種画像処理を施す。記憶部８２は、ＲＯＭ、ＲＡＭ、ＨＤＤ等の不揮発性と揮発性の記憶装置を組み合わせて構成される。この記憶部８２には、複合機１の制御用プログラム、制御用データ、設定データ、画像データ等の各種データを記憶でき、制御部８は、複合機１の各種制御に記憶部８２の記憶内容を利用する。又、制御部８は、上述の操作パネル２、画像読取部３、給紙部４、搬送路５、画像形成部６、定着部７等の各部と信号線等で接続され、複合機１の動作を制御する。
【００３７】
図３に示すように、操作パネル２は、表示制御部２５、メモリ２６、ドライバ２７、液晶表示部２１、タッチパネル部２８等を有する。まず、表示制御部２５は、信号線等により制御部８と通信可能に接続され、表示制御部２５は、制御部８から指示を受けるとともに、操作パネル２への入力により行われた設定、選択等の使用者が行った入力の内容を示すデータを制御部８に送信する。制御部８は、このデータを受けて、使用者の意思に添って複合機１が動作するように各部を制御する。
【００３８】
そして、メモリ２６は、液晶表示部２１に表示させる画像の画像データや、操作パネル２の制御用プログラムやデータを記憶する。ドライバ２７は液晶表示部２１で実際に表示を行わせるための回路、素子である。例えば、ドライバ２７は、液晶表示部２１での表示用にパラレル形式に画像データを変換し、液晶表示部２１の液晶パネルを駆動させる。液晶表示部２１は、例えば、液晶パネルやバックライトで構成され、複合機１の設定用の画像や、画像読取部３で読み取られた原稿のプレビュー画像など、各種の画像を表示する。
【００３９】
タッチパネル部２８は、液晶表示部２１の上面に設けられ、液晶表示部２１のうち、押下した部分の位置、座標に応じて電圧を出力する。そして、表示制御部２５は、タッチパネル部２８から出力された電圧に基づき、押下した部分の位置、座標を特定する。更に、表示制御部２５は、特定された押下位置の座標と、液晶表示部２１に示されたキー、ボタン等の位置、座標を比較し、使用者が押下して選択したキー等を特定する。尚、制御部８がタッチパネル部２８の出力電圧を示すデータを表示制御部２５から受けて、制御部８が使用者の押下位置と、使用者が押下して選択したキー等の特定を行っても良い。
【００４０】
このように液晶表示部２１での表示とタッチパネル部２８で、使用者は、複合機１の各機能について、各種設定、モード選択等を行うことができる。即ち、液晶表示部２１での表示とタッチパネル部２８で使用者による設定入力を受け付ける入力部を構成する。従って、本実施形態では、操作パネル２は、表示部としての機能と入力部としての機能を兼ね備える。尚、タッチパネル部２８としては、抵抗膜方式、表面弾性波方式、赤外線方式、静電容量方式等、各方式のものを採用でき、特に制限はない。
【００４１】
更に、制御部８は、各種コネクタ、ソケット等を備えたＩ／Ｆ部８３（インターフェイス部）と接続される。Ｉ／Ｆ部８３は、ネットワークや公衆回線等により複数のユーザ端末２００（図３では便宜上１つのみ図示）や相手方のＦＡＸ装置３００と接続され、例えば、画像読取部３で得られた画像データをユーザ端末２００や相手方ＦＡＸ装置３００（インターネットＦＡＸでもよい）に送信することができる（スキャン機能、ＦＡＸ機能）。又、ユーザ端末２００や相手方ＦＡＸ装置３００から送信される画像データに基づき印刷、ＦＡＸ送信等を行うこともできる（プリンタ機能、ＦＡＸ機能）。
【００４２】
（画像データの生成、処理、出力）
次に、図４に基づき、本発明の実施形態に係る画像読取部３及び画像処理部９での画像データの流れを説明する。図４は、本発明の実施形態に係る画像読取部３や画像処理部９及び画像データの扱いの一例を示すブロック図である。
【００４３】
まず、画像読取部３での画像データ生成を説明する。画像読取部３内には、原稿に光を照射するランプ３２、反射光をレンズ３４まで導くミラー３３、イメージセンサ３５に向けて反射光を収束させるレンズ３４等の光学系部材が設けられる。
【００４４】
そして、原稿読み取り時、例えば、ランプ３２やミラー３３等は水平方向で移動され、イメージセンサ３５は、反射光の強さに応じ１ラインごと、画素ごとに電流（電圧）を出力する。即ち、原稿への反射光としての光信号を電気的な信号に変換する。尚、本実施形態では、イメージセンサ３５に、白黒（グレー）で原稿を読み取るタイプのものを用いる場合を説明するが、カラー対応のものを搭載し、Ｒ、Ｇ、Ｂの各信号を出力してもよい。
【００４５】
そして、イメージセンサ３５の出力電流（電圧）を増幅部３６で増幅し、例えば、ＩＣチップ等で構成されるＡ／Ｄ変換及び補正部３７が各出力電流（電圧）のディジタル化による画像データ生成と生成された画像データの補正を行う。本実施形態のＡ／Ｄ変換及び補正部３７は、１画素当たり８ビット（２５６階調）に量子化を行う。又、Ａ／Ｄ変換及び補正部３７は、各画素の濃度値（階調値）を補正して、例えば、シェーディング補正等の画像読取部３におけるランプ３２の露光分布特性や光電変換素子の感度分布特性等の補正を行う。尚、Ａ／Ｄ変換や補正は、画像読取部３ではなく、画像処理部９で行われても良い。
【００４６】
画像読取部３で形成されたディジタルの原稿の画像データは、画像処理部９に入力される。本実施形態の画像処理部９は、画像処理専用回路としてのＡＳＩＣ９１や、画像データに関する演算や作業領域や画像処理前、画像処理後の画像データの一時的な記憶領域としてのワークメモリ９２や、各画像処理用のプログラムや、データテーブルや補正係数等の各画像処理用のデータを記憶するデータメモリ９３等を組み合わせて構成される回路である。尚、制御部８のＣＰＵ８１や記憶部８２に画像処理プログラムやデータを格納してソフトウェア的に画像処理部９を実現することもできる。
【００４７】
又、画像処理部９には、裏写り除去処理部９４、裏写り強調処理部９５、ズーム処理部９６、出力処理部９７が設けられる。これらの裏写り除去処理部９４、裏写り強調処理部９５、ズーム処理部９６、出力処理部９７は、ＡＳＩＣ９１、データメモリ９３、ワークメモリ９２等により機能的に実現されても良いし、専用のチップ、回路等によりハードウェアとして実現されても良く、裏写り除去処理、裏写り強調処理、ズーム（拡大縮小）処理、出力処理がなされるように構成されていればよい。
【００４８】
裏写り除去処理部９４は、画像データ内での裏写りを除去する画像処理を行う部分である（詳細は後述）。裏写り強調処理部９５は、液晶表示部２１で表示されるプレビュー画像用の画像データに対し裏写りを強調する画像処理を行う部分である（詳細は後述）。ズーム処理部９６は、画像データの拡大、縮小の画像処理を行う部分である。
【００４９】
出力処理部９７は、露光装置６３や制御部８や表示制御部２５やＩ／Ｆ部８３と接続され、接続先にあわせた画像処理を行った後、画像データを出力する。コピー機能が利用された場合、出力処理部９７は、露光装置６３による露光に用いることができるように画像データの形式の変換等を行い、露光装置６３に送信する。又、スキャン機能やＦＡＸ機能が利用された場合、出力処理部９７は、出力すべき画像データの形式（例えば、ＰＤＦやＴＩＦＦ等の画像データのファイル形式やＦＡＸ送信での画像データ形式）への変換や、出力すべき解像度等の各種画像処理を行った後、制御部８やＩ／Ｆ部８３に送信する。そして、画像データは、記憶部８２に記憶され、又、Ｉ／Ｆ部８３に送信された画像データは、ユーザ端末２００に送られ、ユーザ端末２００で記憶、保存されるか、若しくは相手方ＦＡＸ装置３００に送信される。
【００５０】
又、詳細は後述するが、本実施形態の複合機１では、スキャン機能やコピー機能を利用する場合、印刷結果やスキャン結果を確認するためのプレビュー画像を操作パネル２の液晶表示部２１に表示させることができる。そのため、図４に示すように、画像処理部９の出力処理部９７から出力されたプレビュー用画像データは、表示制御部２５に向けて出力される。プレビュー画像用の画像データは、画像処理部９から表示制御部２５に直接送信されてもよいし、制御部８を経由して表示制御部２５に渡されても良い。
【００５１】
このように、本実施形態の複合機１は、画像データを生成し、処理し、表示し、又、使用者の指示、入力を受け付ける部分として画像読取部３、画像処理部９、操作パネル２（表示部、入力部）等を有する。従って、本発明に係る画像処理装置１００は、複合機１に含まれる（図３参照）。
【００５２】
尚、本来、複合機１における画像処理は、例えば、回転処理や、白黒反転処理や、枠消し処理、エッジ強調処理、平滑化処理等、多岐にわたる（本実施形態の画像処理部９も多数の画像処理を行える）。しかし、本実施形態の説明では、便宜上記載の煩雑化を防ぐため、画像処理部９は、公知の画像処理を実行可能であるとして、以下では、裏写り除去処理機能、裏写り強調処理機能を詳細に述べるに留め、拡大縮小処理や出力処理等、他種の画像処理ついては、説明等を割愛する。
【００５３】
（裏写り除去処理）
次に、図５に基づき、裏写り除去処理の一例を説明する。図５は、本発明の実施形態に係る裏写り除去処理の一例を説明するためのグラフである。
【００５４】
例えば、用紙の紙厚が薄めであり、読取面の裏面に高濃度の印刷部分（例えば、文字等）があるような両面印刷された原稿を読み取った場合、裏写りが生ずる場合がある。一般に、裏写りは、透明な原稿である場合を除き、裏面の内容が読取面の内容に薄く重なるようにして現れる。言い換えると、裏写りが生ずると、読取面の内容に、裏面の左右を反転させ、濃度が小さくなった鏡像が重ねられたような画像データが得られる。
【００５５】
実際に、裏写りが現れると、読取面の画像データのうち、白の地肌等、薄い（明るい）画素の濃度が大きくなり、その結果、裏写りとして認識される。このように、裏写りは、画像データのうち、濃度が薄い（明るい）画素に出でくるので、裏写り除去のため、図５に示すような濃度変換処理を行う。
【００５６】
図５について説明すると、横軸は、裏写り除去処理前の画素の濃度値である。尚、各画素の濃度値の階調は、本例では２５６段階（８ｂｉｔ）であり（８ｂｉｔ以上でも以下でも良い）、原点から右に向かうほど、色が薄く（白く）なるものとして示している。又、縦軸は裏写り除去処理後の画素の濃度値であり、原点から上に向かうほど、色が薄く（白く）なるものとして示している。即ち、原点に近いほど、濃く（黒く）なる（濃度値「２５５」＝「白」、「０」＝「黒」となる）。そして、グラフ内の各線ＬＡは、裏写り除去処理前と裏写り除去処理後の各画素の濃度値の変換の対応関係を示している。
【００５７】
図５のグラフ内の直線のうち、２点鎖線で示す線は、傾き１の直線である（この直線によって濃度変換をしても変化がない）。そして、図５のグラフ内の線のうち、実線で示す線が、裏写り除去処理における濃度値の変換の対応関係を示す線ＬＡである。又、図５では、図５内に実線の線ＬＡが７本示される（右側からＬＡ１〜ＬＡ７の符号を付す）。
【００５８】
グラフ内の各線ＬＡ１〜ＬＡ７で示すように、本実施形態での裏写り除去処理では、閾値よりも薄い濃度値の画素は、白に変換される。これは、裏写りは、薄い（明るい）部分に現れることと対応している。例えば、図５では、ＬＡ７の線の閾値のみを一点鎖線で示しており、閾値としては１７０程度である。例えば、ＬＡ７の線で裏写り除去処理を行う場合、裏写り除去処理部９４は、処理前の濃度値が１７０よりも大きい画素（薄い画素）の濃度値を２５５（白）に置き換える。
【００５９】
又、本実施形態の裏写り除去処理では、閾値を濃い（暗い）方に振るほど、画素の濃度値が白に変換されやすくなるので、裏写り除去処理が強くなされる。従って、ＬＡ１の線が最も裏写り除去処理の程度が弱く、ＬＡ７の線が最も裏写り除去処理の程度が強い。即ち、閾値を変えて裏写り除去処理の強度が切り替えられる。しかし、裏写り除去処理の程度を強めれば、薄いグレーが失われやすい。そのため、詳細は後述するが、本実施形態の複合機１では、操作パネル２で、裏写り除去処理での閾値を切り替える（図５での線ＬＡを切り替える）入力が可能である。
【００６０】
又、実際の各画素の濃度値の変換処理は、裏写り除去処理の強度に応じて、濃度値の変換関係が定められた裏写り除去処理用のデータテーブル（例えば、データメモリ９３に記憶）を用意し、裏写り除去処理用のデータテーブルに基づき行われる。又、図５のグラフ内の各線を関数として扱い、関数の演算で各画素の濃度値の変換が行われても良い。
【００６１】
（裏写り強調処理）
次に、図６に基づき、裏写り強調処理の一例を説明する。図６は、本発明の実施形態に係る裏写り除去処理の一例を説明するためのグラフである。
【００６２】
本実施形態の複合機１では、コピー時やスキャン時に、画像読取部３で読み取って得られた画像データに基づき、プレビュー用画像データを生成し、液晶表示部２１にプレビュー画像を表示させることができる。ここで、一般に、液晶表示部２１のサイズの制約により（図１参照）、プレビュー画像のサイズは、原稿よりも小さくなる。例えば、Ａ４用紙の全体をプレビュー画像として表示させた場合、原稿の用紙サイズに対し、１／５程度となることがある（約２０％に縮小）。
【００６３】
そうすると、裏写りが生じているか、裏写りの度合はどの程度か、等を使用者が確認しようとしても、確認しづらい。そこで、本実施形態では、プレビュー画像は、裏写り強調処理を施した画像データに基づき表示させる。これにより、使用者は、裏写りの発生の有無や裏写りの度合を容易に判断できる。
【００６４】
ここで、図６（ａ）に基づき、裏写り強調処理の概要を説明する。図６（ａ）は、裏写り強調処理の一例を示すグラフである。図５と同様、図６でも、横軸は裏写り強調処理前の画素の濃度値を示し、縦軸は裏写り強調処理後の画素の濃度値を示す。尚、原点から右に、あるいは、上に向かうほど、色が薄く（白く）なるものとして示している。そして、図６（ａ）でのグラフ内の線は、裏写り強調処理前と裏写り強調処理後の各画素の濃度値の変換の対応関係を示している。尚、本説明でも、各画素の濃度値の階調は、２５６段階（８ｂｉｔ）であり、濃度値「２５５」＝「白」であり、「０」＝「黒」である。
【００６５】
図６（ａ）のグラフ内の直線のうち、２点鎖線で示す線は、傾き１の直線である。そして、図６（ａ）のグラフ内のうち、実線で示す線ＬＢが、裏写り強調処理における濃度値の変換の対応関係を示す線である。
【００６６】
図６（ａ）に示す線ＬＢの傾きは、途中で大きく変化する。そして、傾きの変化点よりも濃い領域（高濃度領域）では、傾きが１以下となり、薄い領域（低濃度領域）では１以上となる。このような線ＬＢに基づき、各画素の濃度値の変換を行うと、高濃度領域では、処理前よりも処理後の方が割り当てられる階調の幅が狭くなるので、コントラストが小さくなる。低濃度領域では、処理前よりも処理後の方が割り当てられる階調の幅が広くなるので、コントラストが大きくなる。
【００６７】
従って、処理後の画像データは、低濃度領域の画素を強調することができる。そして、上述したように、画像データ内において、裏写り部分は、薄い画素に現れるので、図６（ａ）に基づく濃度変換処理によって、裏写り部分が強調される。即ち、画像処理部９（裏写り強調処理部９５）は、画像読取部３が読み取った画像データを低濃度領域と高濃度領域に分け、低濃度領域に割り当てる階調を増やす一方、高濃度領域に割り当てる階調を減らす濃度変換処理である裏写り強調処理を行ってプレビュー用画像データを生成する。
【００６８】
そして、図６（ｂ）に示すように（図６（ｂ）では、右側の線から、ＬＢ１〜ＬＢ７と符号を付す）、裏写り強調処理前と裏写り強調処理後の対応関係（濃度値の変換の関係）を示す線ＬＢは、１種類に限られず、複数種用意することができる。又、線ＬＢ５のように、裏写り強調処理前と裏写り強調処理後の対応関係を示す線は、曲線としても良い。この場合、曲線の傾きが１以上である濃度値の画素は、低濃度領域に属すると扱われ、１以下である濃度値の画素は、高濃度領域に属すると扱われる。即ち、低濃度領域と高濃度領域の分け方、及び／又は、低濃度領域と高濃度領域に対し割り当てる階調の増減量を変化させて、裏写り強調処理の種類を異ならせることができる。
【００６９】
又、実際の各画素の濃度値の変換処理は、裏写り除去処理と同様に、裏写り強調処理の強度に応じて、濃度値の変換関係が定められた裏写り強調処理用のデータテーブル（例えば、データメモリ９３に記憶）を用意し、裏写り強調処理用のデータテーブルに基づき行われる。あるいは、図６のグラフ内の線を関数として扱い、関数の演算によって各画素の濃度値の変換が行われても良い。
【００７０】
（裏写り除去処理の設定及びプレビュー画像の例）
次に、図７及び図８に基づき、本発明の実施形態に係る複合機１でのプレビュー画像の表示設定とプレビュー画像の表示の一例を説明する。図７は、本発明の実施形態に係る液晶表示部２１での裏写り除去処理の設定及びプレビュー画像の表示の一例を示す説明図である。図８は、本発明の実施形態に係るプレビュー画像の切り替わりの一例を示す説明図である。
【００７１】
尚、片面印刷の原稿の複写等、プレビュー画像による裏写りの度合の確認を常に行う必要は無いので、使用者がプレビュー画像による裏写りの度合の確認を行うためのモードを選択する入力を行えば、原稿の読み取り後に裏写り除去処理等の設定画面やプレビュー画像が表示される。
【００７２】
まず、図７に基づき、プレビュー画像の設定及び表示画面を説明する。例えば、図７に示すように、液晶表示部２１の左側半分にプレビュー画像の画像データに施す画像処理を設定するためのプレビュー画像設定領域Ｒ１が設けられ、右側半分にプレビュー画像を表示するプレビュー画像表示領域Ｒ２が設けられる。
【００７３】
プレビュー画像設定領域Ｒ１では、プレビュー画像の画像データに施す画像処理として、裏写り除去処理の有無及び強度を設定するための設定バーＢ１が上段に表示され、裏写り強調処理の有無及び種類を設定するための設定バーＢ２が下段に表示される。各設定バーは、横一列に並べられた複数のマス（本実施形態では、８個）で構成される。
【００７４】
そして、使用者は、設定バーＢ１の各マスを押下して、裏写り除去処理の設定を行える。設定内容は表示制御部２５から制御部８や画像処理部９に伝えられ、画像処理部９は、設定された強度に応じた裏写り除去処理を行って、プレビュー用画像データを生成する。又、実際に印刷等のため画像データを出力する際は、裏写り除去処理部９４が設定された強度に応じた裏写り除去処理を行って、画像処理部９が画像データを生成、出力する。
【００７５】
例えば、設定バーＢ１の一番左端のマスを押下すれば、裏写り除去処理を行わないプレビュー用画像データ画像が生成される。又、例えば、上部に数字「４」が付されたマスを押下すると、中程度の強度（例えば、図５での線ＬＡ４に基づく濃度変換）で裏写り除去処理が施されたプレビュー用画像データが生成される（例えば、数字が大きいほど強い裏写り除去処理を行う）。プレビュー用画像データが生成されると、表示制御部２５にわたされ、わたされたプレビュー用画像データに基づきプレビュー画像が表示される。
【００７６】
即ち、操作パネル２（入力部）は、裏写り除去処理の強度の選択入力を受け付け、画像処理部９は、予め定められた閾値に基づき、画像データに対し、閾値よりも薄い濃度の画素を裏写りとして、更に薄い濃度に変換して裏写り除去処理を行うとともに、裏写り除去処理の強度が切り替えられるごとに、閾値を変えて、画像データに対し裏写り除去処理を行った後、裏写り強調処理を行ってプレビュー用画像データを生成し、液晶表示部２１は、選択入力により裏写り除去処理の強度が切り替えられるごとに、新たに生成されたプレビュー用画像データに基づき、プレビュー画像を切り替えて表示する。
【００７７】
例えば、裏写り除去処理を行わない設定をした場合、使用者は、裏写り除去処理を行わない場合のコピーによる印刷物やスキャンにより出力される画像データのファイルでの裏写りの度合をプレビュー画像で確認できる。又、裏写り除去処理を行う旨の入力をした場合、裏写り除去処理の強度設定によってどれほど印刷物やファイルでの裏写りが除去され、低濃度部分（薄いグレー部分）失われるか等を使用者は、確認することができる。
【００７８】
又、使用者は、設定バーＢ２の各マスを押下して、プレビュー画像での裏写り強調処理の設定を行える。設定内容は、表示制御部２５から制御部８や画像処理部９に伝えられ、画像処理部９は、設定された強度に応じた裏写り強調処理を行って、プレビュー用画像データを生成する。例えば、設定バーＢ２の一番左端のマスを押下すれば、裏写り強調処理を行わないプレビュー用画像データ画像が生成される。又、例えば、上部に数字「４」が付されたマスを押下することにより、４番目の種類（例えば、図６での線ＬＢ４に基づく濃度変換）の裏写り強調処理が施されたプレビュー用画像データが生成される。プレビュー用画像データが生成されると、表示制御部２５にわたされ、わたされたプレビュー用画像データに基づきプレビュー画像が表示される。
【００７９】
即ち、操作パネル２は、予め用意された複数種の裏写り強調処理のうちから、実行する裏写り強調処理を選択する選択入力を受け付け、画像処理部９は、低濃度領域と高濃度領域の分け方、及び／又は、低濃度領域と高濃度領域に対し割り当てる階調の増減量を変化させて、選択に応じた裏写り強調処理を行って、裏写り強調処理を行ってプレビュー用画像データを生成し、液晶表示部２１は、選択入力により裏写り強調処理の種類が切り替えられるごとに、新たに生成されたプレビュー用画像データに基づき、プレビュー画像を切り替えて表示する。
【００８０】
例えば、裏写り強調処理を行わない設定では、裏写り強調処理を施さないプレビュー用画像データに基づくプレビュー画像が表示される。しかし、プレビュー画像は小さいため、ほとんど裏写りを確認できない場合がある。そこで、裏写り強調処理の種類を選択することで、使用者は、容易に印刷物やファイルでの裏写り部分の位置や程度を確認できる。
【００８１】
更に、例えば、設定バーＢ１で裏写り除去処理が設定され、かつ、設定バーＢ２で裏写り強調処理のいずれかが選択された場合、画像処理部９は、ワークメモリ９２内の画像データを読み出し、裏写り除去処理を行い、処理後の画像データに裏写り強調処理を施したプレビュー用画像データを生成する。プレビュー用画像データが生成されると、表示制御部２５にわたされ、わたされたプレビュー用画像データに基づきプレビュー画像が表示される。従って、使用者は、裏写り除去処理の設定後、裏写り強調処理の種類を変えてもほとんど裏写りがプレビュー画像で確認できなければ、ほとんど裏写りは除去され、適切な裏写り除去処理の設定がなされていることを認識できる。即ち、画像処理部９は、画像データに対し一部の画素の濃度変換を行って裏写り除去処理を行い、裏写り除去処理後の画像データに対し、裏写り強調処理を行ってプレビュー用画像データを生成する。
【００８２】
そして、液晶表示部２１の左下方位置には、ＯＫキーＫ１とキャンセルキーＫ２が配される。例えば、ＯＫキーＫ１が押されると、画像処理部９は、ワークメモリ９２内の画像データを読み出し、設定バーＢ１で設定された裏写り除去処理を施して、画像データが出力処理部９７から出力され、露光装置６３や制御部８やＩ／Ｆ部８３に送られ、印刷や、画像ファイルの送信が行われる。一方、キャンセルキーＫ２が押されれば、例えば、コピーやスキャン自体が終了される。尚、拡大キーＫ３及び分割拡大キーＫ４が設定画面内に配されるが、これらのキーを押した際の動作の詳細は後述する。
【００８３】
次に、図８に基づき、本実施形態の液晶表示部２１でのプレビュー画像の表示例の一例を説明する。ここでは、一例として、便宜上、読取面と読取面の裏面に同じ画像が印刷されているものとして説明する。尚、本説明では、原稿の全体のプレビュー画像を表示させる場合を説明する。
【００８４】
まず、印刷時やスキャン時に画像読取部３で原稿が読み取られ、画像データが生成される。そして、図８の左端の図に示すように、生成された画像データには、「あいうえお・・・」のように、裏写りの発生のため、裏写り部分Ｘ１が含まれているとする。
【００８５】
本実施形態の操作パネル２の液晶表示部２１には、上述したように、生成された画像データの印刷結果やスキャン結果を確認できるように、プレビュー画像を表示させることができる。しかし、液晶表示部２１のサイズのため、表示されるプレビュー画像の大きさは、実際の原稿の大きさに対し小さくなる。又、生成された画像データの画素数（例えば、６００ｄｐｉの解像度で読み取りを行うと、１インチ≒２５．４ｍｍの長さに６００画素が並ぶ）に対し、一般に、液晶表示部２１の画素数はこれよりも少ない。
【００８６】
そのため、画像読取部３で生成された画像データを利用して、液晶表示部２１でプレビュー画像を表示するには、実際には、縮小画像処理（例えば、ズーム処理部９６が行う）を行う必要がある。そのため、画像処理部９は、ズーム処理部９６で縮小の画像処理を行って、プレビュー用画像データを生成し、表示制御部２５にわたす。尚、縮小率は、生成された画像データのサイズと液晶表示部２１の表示における解像度（画素数）によって適宜定まる。
【００８７】
このような縮小の画像処理を行うことは、元の画像データからある程度情報が失われることにつながり、単に縮小処理を施したプレビュー用画像データに基づきプレビュー画像を表示しても、図８の左側から２段目に示すように、裏写り部分Ｘ２が確認し難くなる。
【００８８】
そして、左から３段目の上段に示すプレビュー画像は、裏写り強調処理のみを行う設定時の表示例である。画像処理部９は、裏写り強調処理を行い、裏写り強調処理後の画像データに対し、ズーム処理部９６でズーム処理を行ってプレビュー画像用の画像データを生成する（尚、縮小処理後の画像データに対し裏写り強調処理を行っても良い）。その後、裏写り部分Ｘ３が強調された画像が液晶表示部２１で表示され、使用者は位置や、裏写りの度合を確認、判断することができる。
【００８９】
又、左から３段目の下段に示すプレビュー画像は、裏写り除去処理のみを行う設定時の表示例である。画像処理部９は、裏写り除去処理を行い、裏写り除去処理後の画像データに対し、ズーム処理部９６でズーム処理を行ってプレビュー画像用の画像データを生成する（尚、ズーム処理後の画像データに対し裏写り除去処理を行っても良い）。その後、裏写りが除去された画像が液晶表示部２１で表示され、使用者は裏写りの除去の程度を確認し、裏写り除去処理の有効性を正しく判断することができる。
【００９０】
尚、図８の左から３段目の下段に示すように、裏写り除去処理のみの設定のプレビュー画像では、一見、裏写りがほぼ完全に除去されたように見える。しかし、上述したように、画像データの縮小処理によって、裏写りが残るにもかかわらず、プレビュー画像では、あたかも完全に裏写りが消去されたように表示されることがある。これでは、使用者は、裏写りが無いと思ってもいても、印刷結果や、スキャン結果には裏写りが残っており、使用者の期待を裏切る。
【００９１】
そこで、更に、図８の最右段に示すように、裏写り除去処理の強度の設定と裏写り強調処理の種類の設定（図７参照）を同時に行って、プレビュー画像を表示させることができる。この場合、例えば、画像処理部９は、裏写り除去処理後の画像データに裏写り強調処理を行い、裏写り除去処理と裏写り強調処理が施された画像データに、ズーム処理部９６がズーム処理を行ってプレビュー用画像データを生成する。その結果、裏写りが除去され、かつ、残存する裏写りが強調されたプレビュー画像が表示され、使用者は裏写りの除去の程度を確認し、裏写り除去処理の有効性を正しく判断することができる。
【００９２】
（拡大表示）
次に、図７、図９、図１０に基づき、本発明の実施形態に係るのプレビュー画像の拡大表示の一例を説明する。図９は、本発明の実施形態に係るプレビュー画像の全体を拡大表示する場合の一例を示す。図１０は、本発明の実施形態に係るプレビュー画像の一部分を拡大表示する場合の一例を示す。
【００９３】
上記の例では、原稿の全体（全面）をプレビュー画像として表示する例を説明したが、本実施形態の複合機１では、原稿の全体ではなく、一部を拡大表示させて、裏写りの度合や裏写り除去処理の効果を確認することができる。
【００９４】
そこで、まず、図７等に示す、拡大キーＫ３を押したときのプレビュー画像の拡大表示の一例を説明する。拡大キーＫ３を押した場合、その指示が画像処理部９に伝わる。そして、画像処理部９は、ワークメモリ９２に保持、記憶されている原稿読み取り時の画像データに対し、設定に応じ、裏写り除去処理や裏写り強調処理を施した後、拡大表示用のプレビュー用画像データを生成する。そして、原稿全体をプレビュー画像として表示させる時と、拡大表示を行う時では、ズーム処理部９６が行う拡大縮小処理の倍率が異なることになる。生成された拡大表示用のプレビュー用画像データは、画像処理部９から表示制御部２５にわたされ、液晶表示部２１で拡大されたプレビュー画像が表示される。
【００９５】
尚、拡大表示を行う場合、表示におけるドットは荒くなるが、既に表示制御部２５が受け取り、例えば、メモリ２６に記憶されている原稿の全体表示用のプレビュー用画像データを、表示制御部２５が拡大処理して、拡大表示用のプレビュー用画像データを生成し、表示部で拡大表示が行われても良い。
【００９６】
そして、図９に示すように、プレビュー画像表示領域Ｒ２では、拡大されたプレビュー画像が表示される。そして、例えば、プレビュー画像表示領域Ｒ２には、横スクロールバーＢ３や縦スクロールバーＢ４が現れ、使用者は、各バーＢ３、Ｂ４を指で押したまま左右又は上下に移動させ、拡大されたプレビュー画像のうち、確認したい所望の領域を表示させることができる。これにより、使用者は、より詳細に裏写りの度合を正しく判断できる。即ち、操作パネル２は、原稿の全面ではなく一部分を拡大させてプレビュー画像を表示させることを指示する入力を受け付け、画像処理部９は、拡大表示を行うためのプレビュー用画像データを生成し、液晶表示部２１は、プレビュー画像の拡大表示を行う。
【００９７】
次に、図７等に示す、分割拡大キーＫ４を押したときのプレビュー画像の拡大表示の一例を説明する。分割拡大キーＫ４を押した場合、プレビュー画像表示領域Ｒ２が分割され、分割された各領域に、拡大されたプレビュー画像が表示される。
【００９８】
具体的に、分割拡大キーＫ４を押した場合、図１０（ａ）に示すように、プレビュー画像内での複数箇所の押下を待ち受ける状態となり、使用者は、裏写りの度合を確認したい箇所を予め定められた数だけ押下する（本例では４箇所）。この予め定められた数でプレビュー画像表示領域Ｒ２は分割される。即ち、予め定められた数＝分割数となる。尚、分割数は、液晶表示部２１の大きさに応じ、例えば、２分割、６分割、８分割等、適宜設定できるが、分割の都合上、分割数は偶数であることが好ましい。
【００９９】
そして、拡大表示の指示は、画像処理部９に伝わる。そして、画像処理部９は、ワークメモリ９２に保持、記憶されている原稿読み取り時の画像データに対し、必要に応じ裏写り除去処理や裏写り強調処理を施した後、分割拡大表示用のプレビュー用画像データを生成する。分割して拡大表示する場合でも、原稿全体をプレビュー画像として表示させる時と、拡大表示を行う時では、ズーム処理部９６が行う拡大縮小処理の倍率が異なることになる。そして、例えば、拡大処理後の画像データは、表示制御部２５に送られ、メモリ２６に記憶される。
【０１００】
このプレビュー画像用の画像データを受け、表示制御部２５は、押下位置の座標を中心として、各押下位置周辺のプレビュー画像を液晶表示部２１に分割拡大表示させる。これにより、図１０に示すように、プレビュー画像表示領域Ｒ２が分割され、各プレビュー画像表示領域Ｒ２で拡大されたプレビュー画像が表示される。これにより、使用者は、部分的に、詳細に裏写りの度合を正しく判断できる。即ち、操作パネル２は、原稿の全面ではなく一部分を拡大させて、拡大表示を行う部分を複数個指定する入力を受け付け、画像処理部９は、拡大表示を行うためのプレビュー用画像データを生成し、液晶表示部２１は、画面を分割して、指定された個数で指定された部分の拡大表示を行う。
【０１０１】
尚、分割拡大表示では、画像処理部９は、裏写りの度合を確認したい箇所のみの、分割拡大表示用のプレビュー用画像データを生成し、表示制御部２５にわたしてもよい。又、画像処理部９は、原稿の全体について分割拡大表示用のプレビュー用画像データを生成し表示制御部２５が、裏写りの度合を確認したいとして指定された箇所の座標を中心として、分割拡大表示用のプレビュー用画像データを抜粋し、分割拡大表示がなされても良い。既に表示制御部２５が受け取り、例えば、メモリ２６に記憶されている原稿の全体表示用のプレビュー用画像データを、表示制御部２５が拡大処理して、表示部で分割拡大表示が行われても良い。
【０１０２】
（プレビュー画像表示制御）
次に、図１１に基づき、本発明の実施形態に係るプレビュー画像の表示制御の一例を説明する。図１１は、本発明の実施形態に係るプレビュー画像の表示制御の一例を示すフローチャートである。尚、本説明では、拡大キーＫ３、分割拡大キーＫ４が押されない限り、原稿の全体のプレビュー画像が表示されるものとして説明する。
【０１０３】
まず、図１１のスタートは、操作パネル２で、本発明に係るプレビュー画像を表示して裏写りを確認するモードが選択されている場合に、コピーやスキャンのため、原稿が画像読取部３で読み取られた時点である。
【０１０４】
画像読取部３で原稿が読み取られると、画像処理部９は、画像読取部３で生成された画像データを受け取り、ワークメモリ９２に記憶させる（ステップ♯１）。尚、本実施形態の液晶表示部２１のプレビュー画像は、たびたび切り替えられるので、ワークメモリ９２は、プレビュー画像の表示制御が完了するまで、画像読取部３で生成された画像データを保持する。
【０１０５】
次に、液晶表示部２１にプレビュー画像表示領域Ｒ２とプレビュー画像設定領域Ｒ１が表示される。即ち、裏写り除去処理等の各種設定とプレビュー画像表示用の画面が表示される（ステップ♯２、図７参照）。この時、例えば、裏写り除去処理なし、裏写り強調処理なしの状態での最初のプレビュー画像が表示されてもよい。そして、制御部８は、キャンセルキーＫ２が押されたかを確認する（ステップ♯３）。もし、キャンセルキーＫ２が押されれば（ステップ♯３のＹｅｓ）、プレビュー画像の表示の実行等は全て不要になるので、本制御を終了する（エンド）。
【０１０６】
もし、キャンセルキーＫ２が押されなければ（ステップ♯３のＮｏ）、制御部８は、液晶表示部２１でのＯＫキーＫ１が押されたかを確認する（ステップ♯４）。ＯＫキーＫ１が押されれば（ステップ♯３のＹｅｓ）、画像処理部９は、設定された強度での裏写り除去処理等、必要な各種画像処理を施した上で、露光装置６３やＩ／Ｆ部８３等に画像データを出力させ（ステップ♯５）、印刷や画像ファイルの送信、記憶が実行される（ステップ♯６）。印刷等が行われれば、プレビュー画像を表示しておく必要はないので、処理を終了する（エンド）。
【０１０７】
一方、ＯＫキーＫ１が押されていなければ（ステップ♯４のＮｏ）、次に、拡大キーＫ３が押されたかを確認する（ステップ♯７）。又、拡大キーＫ３が押されていなければ（ステップ♯７のＮｏ）、一部拡大キーＫ３が押されたかを確認する（ステップ♯８）。更に、一部拡大キーＫ３が押されていなければ（ステップ♯８のＮｏ）、各設定バーＢ１、Ｂ２が押されたかを確認する（ステップ♯９）。各設定バーＢ１、Ｂ２も押下されていなければ（ステップ♯９のＮｏ）、ステップ♯３に戻る。
【０１０８】
一方、拡大キーＫ３が押下された場合（ステップ♯７のＹｅｓ）、一部拡大キーＫ３が押下された場合（ステップ♯８のＹｅｓ）は押下位置を表示制御部２５が確認した後（ステップ♯１０）、あるいは、各設定バーも押下されれば（ステップ♯９のＹｅｓ）、画像処理部９は、制御部８や表示制御部２５と通信を行う等により、選択されている裏写り除去処理の内容（裏写り除去処理の実行の有無や強度）や、選択されている裏写り強調処理の内容（裏写り強調処理の実行の有無や種類）や、拡大及び一部拡大表示の必要性等、プレビュー画像用の画像データを生成する上で、必要な画像処理の内容を確認する（ステップ♯１１）。
【０１０９】
そして、画像処理部９は、使用者による液晶表示部２１等への設定に合わせて画像処理を行い、プレビュー画像用の画像データを生成する。（ステップ♯１２）。プレビュー画像用の画像データは、操作パネル２（表示制御部２５）に送信され（ステップ♯１３）、その結果、プレビュー画像が液晶表示部２１に表示される（ステップ♯１４）。この時、拡大キーＫ３、一部拡大キーＫ３の押下に応じて、拡大表示がなされる。その後、例えば、ステップ♯３に戻る。
【０１１０】
このように、ＯＫキーＫ１又はキャンセルキーＫ２が押されるまで、裏写り除去処理用の設定バーＢ１や、裏写り強調処理用の設定バーＢ２や拡大キーＫ３や一部拡大キーＫ３が押下され、設定が変わるごとに、画像処理部９が設定に合わせ、プレビュー画像用の画像データを生成する。従って、設定が変わるごとに、表示されるプレビュー画像が切り替えられる。従って、利用者は、裏写りの度合の確認、判断や裏写り除去処理の最適な強度を容易に探し当てることができる。
【０１１１】
このようにして、本発明の構成によれば、裏写り強調処理にて、低濃度領域に割り当てる階調を増やす（コントラストを強くする）一方、高濃度領域に割り当てる階調を減らす（コントラストを弱くする）ので、画像データ内に薄い（明るい）部分として現れる裏写り部分が強調されたプレビュー画像を表示させることができる。従って、表示部（例えば、液晶表示部２１）の画面サイズが小さくても、使用者は、裏写りの度合を正確かつ容易に確認できる。又、画像処理部９が裏写り除去処理後の画像データに対し、裏写り強調処理を行ったプレビュー用画像データに基づくプレビュー画像が表示部に表示されるので、たとえ表示部の画面サイズが小さくても、使用者は、裏写り除去処理による裏写りの軽減の程度や、裏写り除去処理後での裏写りの有無や度合を正確かつ容易に確認できる。
【０１１２】
又、裏写り除去処理の強度が切り替えられるごとに、新たに生成されたプレビュー用画像データに基づき、プレビュー画像が切り替えられるので、使用者は、プレビュー画像を見ながら、裏写り除去処理の最適な強度を探し当てることができる。又、読み取った原稿によって、裏写り強調処理によって、適切に裏写り部分が強調される裏写り強調処理の内容が異なる場合がある。しかし、この構成によれば、実行する裏写り強調処理を選択することができ、選択に応じた裏写り強調処理が行われるので、実行する裏写り強調処理を切り替えて、適切に裏写り部分が強調されたプレビュー画像を表示させることができる。
【０１１３】
又、表示部は、プレビュー画像の拡大表示を行うことができるので、裏写りの度合を詳細に確認することができる。又、表示部は、画面を分割して、指定された個数で指定された部分の拡大表示を行うので、裏写り強調処理が施された全体のプレビュー画像を見た際に確認したい部分だけ指定することで、使用者は、気になる部分のみについて裏写りの度合を詳細に確認することができる。又、裏写りの度合を正確、容易に行える画像形成装置（例えば、複合機１）を提供することができる。
【０１１４】
以上、本発明の実施形態について説明したが、本発明の範囲はこれに限定されるものではなく、発明の主旨を逸脱しない範囲で種々の変更を加えて実施することができる。
【産業上の利用可能性】
【０１１５】
本発明は、画像読取部、画像処理部、表示部を備えた画像処理装置や、この画像処理装置を含む画像形成装置に利用可能である。
【符号の説明】
【０１１６】
１    複合機（画像形成装置）            ２    操作パネル（表示部、入力部）
２１  液晶表示部（表示部、入力部）      ３    画像読取部
９    画像処理部                        ９４  裏写り除去処理部
９５  裏写り強調処理部                  １００  画像処理装置
【図１】
2011009945.tif 000003
【図２】
2011009945.tif 000004
【図３】
2011009945.tif 000005
【図４】
2011009945.tif 000006
【図５】
2011009945.tif 000007
【図６】
2011009945.tif 000008
【図７】
2011009945.tif 000009
【図８】
2011009945.tif 000010
【図９】
2011009945.tif 000011
【図１０】
2011009945.tif 000012
【図１１】
2011009945.tif 000013